(57)【特許請求の範囲】
【請求項１】
記録媒体に画像を形成する画像形成部と、
前記画像形成部に前記記録媒体を供給し、複数の前記記録媒体を積載する記録媒体積載カセットと、
前記画像形成部に前記記録媒体を供給し、前記記録媒体を載置する手差しトレイとを備え、
前記記録媒体積載カセットと前記画像形成部との間には、回転することによって前記記録媒体を搬送する第１ローラと、前記第１ローラよりも下流側に設けられ、かつ、回転することによって前記画像形成部に前記記録媒体を供給する第２ローラとが設けられ、
前記手差しトレイから搬送される前記記録媒体は、前記第１ローラと前記第２ローラとの間において合流し、前記第２ローラが回転することによって前記画像形成部へ搬送され、前記第１ローラの周速度は、前記第２ローラの周速度よりも速くなるように備えられた画像形成装置において、
前記第２ローラは、前記記録媒体積載カセットから前記記録媒体が搬送されるときの周速度よりも、前記手差しトレイから前記記録媒体が搬送されるときの周速度の方が速くなるように設けられていることを特徴とする画像形成装置。
【請求項２】
前記画像形成部は、各色に対応した複数の感光体と、
前記複数の感光体にそれぞれ対応して回転する転写ローラと、
前記転写ローラと協働で移動し、かつ、前記記録媒体を搬送する搬送ベルトとを備え、
前記記録媒体は、前記搬送ベルトに搬送されながら各色に対応した画像を相互に重ね合わせ転写されて、直接的にカラー画像が形成されることを特徴とする請求項１に記載の画像形成装置。
【発明の詳細な説明】
【技術分野】
【０００１】
本発明は、画像形成装置に関するものである。
【背景技術】
【０００２】
図５は、手差し給紙装置を搭載した従来の画像形成装置の概略全体構成を示す側面図である。この装置は、図の右側が前面（操作面）で、給紙カセット１２、１２ａの把手５１及び手差し給紙口４０はこの面に設けられている。
【０００３】
給紙カセット１２、１２ａから給紙ローラ１３によって送り出された通常サイズの用紙１４は、搬送ローラ１１によって搬送され、レジストローラ対１５によってタイミングをとられ、ベルト状感光体１６の下側の転写部に搬送される。感光体１６の周囲に矢印で示す周動方向の順に設けられた帯電チャージャ１７、レーザ書込光学系１８、現像装置１９により、感光体１６上に形成されたトナー像は、転写チャージャ２０の作用のもとに用紙１４に転写される。トナー像の転写された用紙１４は定着装置２１により定着され、排紙装置２２の排紙ローラ対２３、切換爪２４により、排紙ガイド２５、２６、排紙ローラ対２７、２８を経て排紙口２９より画像面を下にして、上部ユニット上面のスタック部３０へ、又は後部排紙口３１より画像面を上にして排紙トレイＴに排出される。
【０００４】
また、手差し給紙口４０付近には用紙載置トレイ３２が設けられており、用紙載置トレイ３２に載置された用紙を搬送ローラ１１が搬送するようになっている。（例えば特許文献１参照）
用紙搬送経路におけるローラにおいて、通常、上流から下流へ向かうにつれて用紙に対する搬送速度が遅くなるように設けられている。例えば、これを従来の画像形成装置に適応すると、給紙カセット１２、１２ａから用紙を搬送する場合、給紙ローラ１３、搬送ローラ１１、レジストローラ対１５の順に周速度が遅くなるようになっている。
【０００５】
このように各ローラの周速度に変化をつける理由として、各ローラをすべて同じ形に成型加工することが困難であり、各々のローラに公差が生じてしまうことが挙げられる。
【０００６】
つまり、例えば給紙ローラ１３、搬送ローラ１１、レジストローラ対１５のすべてを同じ周速度となるように回転させたとしても、各ローラの公差によって用紙の搬送速度が安定せず、搬送中の用紙が引っ張られたられた状態になるおそれがある。用紙が引っ張られた状態で搬送されると、搬送経路に用いられた部材を傷つけてしまったり、また、位置ずれが生じたりすることがある。これを回避するために、通常、上流から下流へ向かうにつれて用紙に対する搬送速度が遅くなるように設けられ、用紙はローラとローラとの間で撓むようにして搬送されている。
【特許文献１】特開平５−２３８６０７号公報
【発明の開示】
【発明が解決しようとする課題】
【０００７】
ところが、従来の画像形成装置において、給紙カセット１２、１２ａから搬送される用紙は周速度の速い給紙ローラ１３によって搬送されるため、給紙カセット１２、１２ａから搬送される用紙の搬送速度と手差しによって搬送される用紙の搬送速度とに差が生じてしまう。  
【０００８】
つまり、給紙カセット１２、１２ａから搬送される用紙は、常に給紙ローラ１３によって速い速度で搬送方向上流側に押し出されているため、搬送ローラ１１やレジストローラ対１５が用紙に対してすべる等の問題が発生する。よって、給紙カセット１２、１２ａから搬送される用紙は、本来の搬送ローラ１１やレジストローラ対１５の用紙の搬送速度よりも、速い速度で搬送される。
【０００９】
一方、手差しによって搬送される用紙は、ユーザが用紙積置トレイ３２に用紙を載置す
ると搬送ローラ１１が回転し、用紙を搬送するようになっており、本来の搬送ローラ１１の搬送速度で用紙が搬送される。これにより、給紙カセット１２、１２ａから搬送される用紙と手差しによって搬送される用紙とでは、互いに転写位置が異なり、位置ずれが起こるという問題点があった。
【００１０】
そこで、本発明は、例えば給紙カセット１２、１２ａ及び手差しなど、どこから給紙したとしても常に用紙に一定の画像を形成することができる画像形成装置を提供することを目的としている。
【課題を解決するための手段】
【００１１】
【００１２】
請求項１に記載の発明は、  記録媒体に画像を形成する画像形成部と、画像形成部に記録媒体を供給し、複数の記録媒体を積載する記録媒体積載カセットと、画像形成部に記録媒体を供給し、記録媒体を載置する手差しトレイとを備え、記録媒体積載カセットと画像形成部との間には、回転することによって記録媒体を搬送する第１ローラと、第１ローラよりも下流側に設けられ、かつ、回転することによって画像形成部に記録媒体を供給する第２ローラとが設けられ、手差しトレイから搬送される記録媒体は、第１ローラと第２ローラとの間において合流し、第２ローラが回転することによって画像形成部へ搬送され、第１ローラの周速度は、第２ローラの周速度よりも速くなるように備えられた画像形成装置において、第２ローラは、記録媒体積載カセットから記録媒体が搬送されるときの周速度よりも、手差しトレイから記録媒体が搬送されるときの周速度の方が速くなるように設けられていることを特徴とする。
【００１３】
請求項２に記載の発明は、画像形成部は、各色に対応した複数の感光体と、複数の感光体にそれぞれ対応して回転する転写ローラと、転写ローラと協働で移動し、かつ、記録媒体を搬送する搬送ベルトとを備え、記録媒体は、搬送ベルトに搬送されながら各色に対応した画像を相互に重ね合わせ転写されて、直接的にカラー画像が形成されることを特徴とする。
【発明の効果】
【００１４】
【００１５】
【００１６】
請求項１に記載の発明によれば、記録媒体に画像を形成する画像形成部と、画像形成部に記録媒体を供給し、複数の記録媒体を積載する記録媒体積載カセットと、画像形成部に記録媒体を供給し、記録媒体を載置する手差しトレイとを備え、記録媒体積載カセットと画像形成部との間には、回転することによって記録媒体を搬送する第１ローラと、第１ローラよりも下流側に設けられ、かつ、回転することによって画像形成部に記録媒体を供給する第２ローラとが設けられ、手差しトレイから搬送される記録媒体は、第１ローラと第２ローラとの間において合流し、第２ローラが回転することによって画像形成部へ搬送され、第１ローラの周速度は、第２ローラの周速度よりも速くなるように備えられた画像形成装置において、第２ローラは、記録媒体積載カセットから記録媒体が搬送されるときの周速度よりも、手差しトレイから記録媒体が搬送されるときの周速度の方が速くなるように設けられていることを特徴とする。
【００１７】
このように第２ローラは、記録媒体積載カセットから記録媒体が搬送されるときの周速度よりも、手差しトレイから記録媒体が搬送されるときの周速度の方が速くなるように設けられることで、互いの画像形成部へ搬送される速度が一致し、位置ずれを防止すること
ができる。
【００１８】
請求項２に記載の発明によれば、画像形成部は、各色に対応した複数の感光体と、複数の感光体にそれぞれ対応して回転する転写ローラと、転写ローラと協働で移動し、かつ、記録媒体を搬送する搬送ベルトとを備え、記録媒体は、搬送ベルトに搬送されながら各色に対応した画像を相互に重ね合わせ転写されて、直接的にカラー画像が形成される。
【００１９】
これにより、各色のカラー画像を順に形成していく画像形成装置においては、請求項１又は２に記載の効果に加えて、色ずれを防止することもできる。
【発明を実施するための最良の形態】
【００２０】
以下、添付した図面を参照して、本発明の実施の形態について説明する。図１は、本発明のＬＥＤプリンタ５（請求項に記載の画像形成装置に相当）の全体を示す概略図である。図１におけるＬＥＤプリンタ５は、図面左方向、右方向、奥方向及び手前方向をそれぞれ、前側、後側、左側及び右側とする。
【００２１】
１．画像形成装置の概要
図１において、上ケース１は、上面に開口部３ａを有するメカユニット３に対して、上ケース１の後方に設けられた回転支軸穴２とメカユニット３の後方に設けられた回転支軸４とにより回動自在に軸支されている。なお、図１は上ケース１がメカユニット３に対して閉じた状態を示している。
【００２２】
ＬＥＤプリンタ５のメカユニット３内には、図１に示すように、用紙やＯＨＰシート等の記録シート（請求項に記載の『記録媒体』に相当、以下、用紙という）に画像を形成する画像形成部６０、及び画像形成部６０に用紙を供給するフィーダ部７０等が収納されている。
【００２３】
一方、上ケース１には、画像形成が完了して排出口８から排出された用紙が、載置される排出トレイ４５が設けられている。
【００２４】
なお、画像形成部６０等は、装置本体の一部をなすフレームに組み付けられており、このフレームは、メカユニット３内において、メカユニット３の左右方向両端側に配設された略板状のサイドフレーム（図示せず）、サイドフレームの下端側を連結するように左右方向に延びる底板部（図示せず）、及びサイドフレームの上端側を連結する天板部（図示せず）等から構成されている。
【００２５】
２．画像形成部
画像形成部には、用紙の搬送方向を示す矢印Ａ方向において、その上流から順にブラック（Ｋ）、イエロー（Ｙ）、マゼンタ（Ｍ）、シアン（Ｃ）に対応する４つのドラムユニット６１Ｋ,６１Ｙ,６１Ｍ,６１Ｃが着脱可能に配置されている。
【００２６】
各ドラムユニット６１Ｋ,６１Ｙ,６１Ｍ,６１Ｃには、矢印Ｂ方向に回転する感光体６
２Ｋ,６２Ｙ,６２Ｍ,６２Ｃが備えられている。用紙は、各感光体６２Ｋ,６２Ｙ,６２Ｍ,６２Ｃに対応して回転する転写ローラ６３Ｋ,６３Ｙ,６３Ｍ,６３Ｃとの協働で搬送ベル
ト６８に吸着されて矢印Ａ方向に搬送され、順次所定色の画像が転写される。その後、用紙は定着器５６によって熱定着させられ、送りローラ５７によって上ケース１に設けられた排紙トレイ４５へ排出される。
【００２７】
一方、上ケース１は、各ドラムユニット６１Ｋ,６１Ｙ,６１Ｍ,６１Ｃの感光体６２Ｋ,６２Ｙ,６２Ｍ,６２Ｃの周面に対応する位置で４つのＬＥＤユニット６７Ｋ,６７Ｙ,６７
Ｍ,６７ＹＣがそれぞれ備えられている。
【００２８】
ＬＥＤユニット６７Ｋ,６７Ｙ,６７Ｍ,６７Ｃの先端部に設けられたＬＥＤヘッド６５
Ｋ,６５Ｙ,６５Ｍ,６５Ｃ（後に説明）が、各々対応する感光体６２Ｋ,６２Ｙ,６２Ｍ,６２Ｃの周面に近接配置され、感光体６２Ｋ,６２Ｙ,６２Ｍ,６２Ｃの露光周面への露光が
可能となる。各感光体６２Ｋ,６２Ｙ,６２Ｍ,６２Ｃは矢印Ｂ方向に回転し、感光体６２
Ｋ,６２Ｙ,６２Ｍ,６２Ｃの左右方向（主走査方向）に沿ってライン状に露光される。
【００２９】
なお、ドラムユニット６１、感光体６２、転写ローラ６３、ＬＥＤユニット６７及びＬＥＤヘッド６５は特別な記載がない限りすべて同じものとする。
【００３０】
３．フィーダ部
フィーダ部７０は、図１に示すように、メカユニット３の最下部に着脱可能に組み付けられた給紙カセット７１（請求項に記載の記録媒体積載カセットに相当）、給紙カセット７１の前端部上方に設けられて画像形成部６０に用紙を搬送するピックアップローラ７２が設けられている。また、フィーダ部７０は、ピックアップローラ７２にて搬送される用紙を、回転することによって１枚毎に分離する分離ローラ７３及び分離パッド７４等を有して構成されている。
【００３１】
分離ローラ７３及び分離パッド７４の搬送方向下流側には、回転することによって用紙を搬送させる用紙搬送ローラ３３（請求項に記載の第１ローラに相当）が設けられおり、その下流側には用紙の通過を検知するセンサＳ１が設けられている。また、画像形成部６０の入口側に配設された一対のレジストローラ３５（請求項に記載のローラ又は第２ローラに相当）は、回転することによって用紙を搬送するとともに、いわゆるレジストレーション動作をおこなう。また、その下流側には用紙の通過を検知するセンサＳ３が設けられている。
【００３２】
４．手差し機構部
図１は、手差しトレイ４１を閉じた状態を示しており、図２は、手差しトレイ４１を開いた状態を示す要部側断面図である。ＬＥＤプリンタ５は、ＬＥＤプリンタ５の前面側から手差しによって転写位置へと用紙を搬送する手差し機構部４２を有している。手差し機構部４２は、手差しトレイ４１と、用紙を挿入するための開口部４３とを有している。
【００３３】
メカユニット３の前側には矩形状の開口部４３が貫通形成されており、ここを覆うように手差しトレイ４１が設けられている。具体的には、手差しトレイ４１は、本体ケーシング２の前面壁とされるカバー部４１ａと、手差し用の用紙が載置されるトレイ部４１ｂとを備えて構成されている。カバー部４１ａは、図２に示すように、メカユニット３に対して下端部側がカバー回転軸４４を介して軸支され、そのカバー回転軸４４を中心に開閉可能となっている。また、手差しトレイ４１の下流側には、トレイ部４１ｂ上の用紙の有無を検知するセンサＳ２が設けられている。
【００３４】
５．ＬＥＤプリンタの電気的構成
次に、ＬＥＤプリンタ５の電気的構成について説明する。図３は、ＬＥＤプリンタ５の電気的構成を概念的に示すブロック図である。
【００３５】
ＬＥＤプリンタ５は、ＣＰＵ８１、ＲＯＭ８２、ＲＡＭ８３、制御部８５、ネットワークインターフェイス８４等を備えて構成された制御装置８０を備えている。ＲＯＭ８２には、ＬＥＤプリンタ５を制御するための各種制御プログラムや各種設定、初期値等が記憶されている。ＲＡＭ８３は、各種制御プログラムが読み出される作業領域として、あるいは印刷データを一時的に記憶する記憶領域として用いられる。
【００３６】
ＣＰＵ８１は、ＲＯＭ８２から読み出した制御プログラムに従って、その処理結果をＲＡＭ８３に記憶させながら、制御部８５を介してレーザプリンタ１の各構成要素を制御する。
【００３７】
ネットワークインターフェイス８４には、コンピュータ８６などの外部機器が接続され、そのコンピュータ８６から送信された印刷指令や印刷データ等を受信する。
【００３８】
制御部８５は、ＡＳＩＣからなり、メインモータ９０やサブモータ９１、センサＳ１、センサＳ２、センサＳ３、さらに分離ローラ用ソレノイド１００、用紙搬送ローラ用ソレノイド１０１などのＬＥＤプリンタ５の各構成要素と電気的に接続されている。
【００３９】
メインモータ９０は、前述した分離ローラ７３（ピックアップローラ７２）、用紙搬送ローラ３３、感光体６２等にギア機構（図示せず）を介して接続されており、それらを同期させつつ回転駆動する。また、サブモータ９１は、レジストローラ３５を回転駆動する。
【００４０】
分離ローラ用ソレノイド１００は、メインモータ９０と分離ローラ７３との間のクラッチ機構として設けられ、オフのときにはメインモータ９０から分離ローラ７３へ動力が伝達される状態となり、オンのときにはその動力伝達が遮断される状態となる。なお、分離ローラ７３及びピックアップローラ７２は、各々のローラの周速度が同じとなるようにギア機構を介して連結されているため、分離ローラ用ソレノイド１００がオンのときには、メインモータ９０からピックアップローラ７２に対しても動力が伝達される状態となり、オフのときにはその動力伝達が遮断される状態となる。
【００４１】
また、用紙搬送ローラ用ソレノイド１０１は、メインモータ９０と用紙搬送ローラ３３との間のクラッチ機構として設けられ、オンのときには、メインモータ９０から用紙搬送ローラ３３へ動力が伝達される状態となり、オフのときにはその動力伝達が遮断される状態となる。
【００４２】
６．給紙カセットから搬送される用紙の印刷時の動作
給紙カセット７１から搬送される用紙は、その先端部がピックアップローラ７２、分離ローラ７３及び用紙搬送ローラ３３を通過すると、センサＳ１によって検知される。センサＳ１によって用紙の先端部が検知されると、分離ローラ７３（ピックアップローラ７２）は分離ローラ用ソレノイド１００によって駆動伝達が遮断され、用紙に対してつれ回りする。その後、用紙は搬送ローラ３３が回転することによって搬送方向下流側へ搬送される。
【００４３】
また、搬送中の用紙の先端部がセンサＳ１によって検知されると、レジストローラ３５の回転が停止され、用紙の先端部は停止したレジストローラ３５に当接し、いわゆるレジストレーション動作が行われて、用紙の斜行状態が修正される。その後、再びレジストローラ３５が駆動され、用紙の先端部は画像形成部６０へ搬送される。なお、用紙の先端部がレジストローラ３５を通過するとセンサＳ３によって検知され、ＬＥＤユニット６７から露光が開始される。その後、用紙は搬送ベルト６８によって搬送され、ブラック、イエロー、マゼンダ及びシアンの４種類のカラー画像が順次形成される。
【００４４】
７．手差しから搬送される用紙の印刷時の動作
手差しトレイ４１から搬送される用紙は、ユーザによって開口部４３からレジストローラ３５に当接する位置まで押し込まれ、手差しトレイ４１のトレイ部４１ｂに載置され、センサＳ２によって用紙の存在が検知される。このとき、レジストローラ３５はサブモー
タ９１からの駆動伝達が遮断され停止した状態になっており、用紙は、先端部がレジストローラ３５に当接することによって搬送状態を整えられる。
【００４５】
なお、用紙はセンサＳ２から検知された後に、一定時間過ぎてからレジストローラ３５が回転し、画像形成部６０へ搬送されるようになっている。
【００４６】
また、手差しトレイ４１から搬送されるときは、分離ローラ７３（ピックアップローラ７２）及び用紙搬送ローラ３３は、それぞれ分離ローラ用ソレノイド１００及び用紙搬送ローラ用ソレノイド１０１によって駆動伝達が遮断された状態になっている。
【００４７】
ここで、本発明のＬＥＤプリンタ５における搬送速度は、上流から下流へ向かうにつれて周速度が遅くなるように設けられている。つまり、給紙カセット７１から用紙を搬送する場合、用紙搬送ローラ３３、レジストローラ３５及び搬送ベルト６８の順にローラ（ベルト）の周速度が遅くなるようになっており、用紙搬送ローラ３３、レジストローラ３５及び搬送ベルト６８の周速度をそれぞれα１、β１及びγ１とすると、α１＞β１＞γ１という関係になっている。
【００４８】
給紙カセット７１から搬送される用紙は、常に用紙搬送ローラ３３によって周速度α１で搬送方向下流側に押し出されている状態にあり、これにより搬送される用紙は、レジストローラ３５において若干滑りながら搬送されていることになる。つまり搬送される用紙は、本来のレジストローラ３５の周速度β１よりも速い速度で搬送されていることになる。
【００４９】
このように、用紙搬送ローラ３３によって速度を速められた用紙において、レジストローラ３５における用紙の搬送速度をβ２とする。
【００５０】
つまり、給紙カセット７１から搬送される用紙において、レジストローラ３５における用紙の搬送速度は、本来ならは速度β１で搬送されるはずが、速度β２で搬送されているということになる。
【００５１】
一方、手差しトレイ４１から搬送される用紙は、ユーザによって手差しトレイ４１のトレイ部４１ｂに載置された後にレジストローラ３５が回転し、画像形成部６０に搬送される。用紙は、ユーザによって載置された後はレジストローラ３５の回転によって搬送されるので、レジストローラ３５の周速度（β１）が用紙の搬送速度になる。つまり、レジストローラ３５において、給紙カセット７１から搬送される用紙の搬送速度はβ２、手差しトレイ４１から搬送される用紙の速度はβ１で搬送されていることになる（β２＞β１）。
【００５２】
よって、手差しトレイ４１から用紙を搬送する場合、レジストローラ３５の搬送速度（周速度）をβ２にすることで、給紙カセット７１から搬送される用紙と手差しトレイ４１から搬送される用紙の搬送速度とが同じになる。レジストローラ３５における用紙の搬送速度において、給紙カセット７１から搬送される用紙の搬送速度と手差しトレイ４１から搬送される用紙の搬送速度とを同じにすることで、画像形成部６０へ搬送される速度が一致し、位置ずれを防止することができる。また、本発明の実施の形態のように、イエロー、マゼンダ、シアン及びブラックの４種類のカラー画像を順に形成していく画像形成装置においては、色ずれを防止することも可能となる。
【００５３】
図４は、本発明の実施の形態のＬＥＤプリンタ５の動作を説明するフローチャートである。まず、ステップａ１では印刷開始のボタンが押されたか判断され、印刷が開始されるとステップａ２へ移り、手差しトレイ４１から用紙を搬送するのか、又は給紙カセット７
１から用紙を搬送するのかが判断される。
【００５４】
ここで、手差しトレイ４１から用紙を搬送することが選択されるとステップａ３に移り、センサＳ２がオン状態を、すなわちトレイ部４１ｂ上に用紙が載置されている状態を検知する。オン状態であればステップａ４に移行して、サブモータ９１の回転数を切り換え、レジストローラ３５の周速度をβ２にする動作を開始する。次いで、ステップａ５に移行してセンサＳ３がオン状態、すなわち用紙がレジストローラ３５によって画像形成部６０の方向へ搬送されていることが確認されると、ステップａ６に移行して画像形成動作が行われる。
【００５５】
一方、ステップａ２において、手差しトレイ４１から用紙を搬送されないことが選択されると、ステップａ７に移行して給紙カセット７１からの給紙動作が開始される。次いでステップａ８に移行し、センサＳ１がオン状態、すなわち用紙が用紙搬送ローラ３３によってレジストローラ３５の方向へ搬送されていることが確認されると、ステップａ９移行し、いわゆるレジストレーション動作が行われる。その後、ステップａ１０に移行し、サブモータ９１の回転数を切り換え、レジストローラ３５の周速度をβ１にする動作を開始する。次いで、センサＳ３がオン状態、すなわち用紙がレジストローラ３５によって画像形成部６０の方向へ搬送されていることが確認されると、ステップａ５に移行して画像形成動作が行われる。
【００５６】
前述したように構成される本発明の制御装置８０では、給紙カセット７１及び手差しトレイ４１からの搬送に対応させてレジストローラ３５の周速度を制御し、給紙カセット７１に対しては、通常の周速度（β１）でレジストローラ３５を駆動し、手差しトレイ４１に対しては、通常よりも若干早い周速度（β２）で送り出す等の制御を行うようにする。つまり、搬送ベルト６８の周速度及びレジストローラ３５の周速度の速度比を、給紙カセット７１から用紙が搬送される場合と手差しトレイ４１から用紙が搬送される場合とにおいて、それぞれ異なるように設けられている。
【００５７】
なお、本発明の実施の形態において、給紙カセット７１及び手差しトレイ４１におけるレジストローラ３５の周速度について記載しているが、これに限らず例えば給紙カセット７１が２つ設けられていてもよく、また、複数設けられていてもよい。また、搬送ローラ３３が複数設けられていてもよく、レジストローラ３５の周速度を適宜切り換えることで画像形成部６０へ搬送される速度が一致し、位置ずれ及び色ずれを防止することができる。
【図面の簡単な説明】
【００５８】
【図１】本発明の実施の形態における画像形成装置の全体を示す概略断面図である。
【図２】図１の部分拡大図である。
【図３】ＬＥＤプリンタの電気的構成を概念的に示すブロック図である。
【図４】ＬＥＤプリンタの動作を説明するフローチャートである。
【図５】従来の画像形成装置を示す図である。
【符号の説明】
【００５９】
１…  上ケース１
２…  回転支軸穴
３…  メカユニット
４…  回転支軸
５…  ＬＥＤプリンタ
８…  排出口
３３…用紙搬送ローラ（第１ローラ）
３５…レジストローラ（第２ローラ）
４１…手差しトレイ（記録媒体供給部）
４２…手差し機構部
４３…開口部
４４…カバー回転軸
４５…排出トレイ
５６…定着器
５７…送りローラ
６０…画像形成部
６１…ドラムユニット
６２…感光体
６３…転写ローラ
６５…ＬＥＤヘッド
６７…ＬＥＤユニット
６８…搬送ベルト
７０…フィーダ部
７１…給紙カセット（記録媒体積載カセット）
７２…ピックアップローラ
７３…分離ローラ
７４…分離パッド
８０…制御装置
８１…ＣＰＵ
８２…ＲＯＭ
８３…ＲＡＭ
８４…ネットワークインターフェイス
８５…制御部
８６…コンピュータ
９０…メインモータ
９１…サブモータ
１００…分離ローラ用ソレノイド
１０１…用紙搬送ローラ用ソレノイド
【図１】
0004539710.tif 000002
【図２】
0004539710.tif 000003
【図３】
0004539710.tif 000004
【図４】
0004539710.tif 000005
【図５】
0004539710.tif 000006